(57)【要約】【課題】ユーザーの情緒を効果的に改善し、かつユーザーを瞑想状態に導くことができ、ユーザーの睡眠を改善することのできる点灯装置等を提供する。【解決手段】点灯装置は、光源ユニットに電流を供給するように配置された点灯回路と、点灯回路に対し調光制御を行う制御回路とを備える。調光制御は睡眠誘導制御を含む。睡眠誘導制御を行うとき、点灯回路から光源ユニットに供給する電流の値が増大および低減する変化を行うように、制御回路は点灯回路に対し制御を行い、睡眠誘導制御を行う期間を複数の区間に分けた場合、前区間における点灯回路から光源ユニットに供給する電流の平均値は後区間における点灯回路から光源ユニットに供給する電流の平均値より大きく、睡眠誘導制御終了時に点灯回路から光源ユニットに供給する電流の値は予め定められた値に制御される。【選択図】図１
2019102441.tif 000002
【特許請求の範囲】
【請求項１】
少なくとも１つの光源ユニットを点灯させるための点灯装置であって、
前記点灯装置は、
前記光源ユニットに電流を供給するように配置された点灯回路と、
前記点灯回路に対し調光制御を行うことにより、前記光源ユニットに対し調光を行うように配置された制御回路とを備え、
前記調光制御は睡眠誘導制御を含み、
前記睡眠誘導制御を行うとき、前記点灯回路から前記光源ユニットに供給する電流の値が増大および低減する変化を行うように、前記制御回路は前記点灯回路に対し制御を行い、
前記睡眠誘導制御を行う期間を複数の区間に分けた場合、前区間における前記点灯回路から前記光源ユニットに供給する電流の平均値は後区間における前記点灯回路から前記光源ユニットに供給する電流の平均値より大きく、前記睡眠誘導制御終了時に前記点灯回路から前記光源ユニットに供給する電流の値は予め定められた値に制御される
点灯装置。
【請求項２】
前記睡眠誘導制御を行うとき、前記点灯回路から前記光源ユニットに供給する電流の値は少なくとも一部の区間内で正弦波状に変化する
請求項１に記載の点灯装置。
【請求項３】
前記睡眠誘導制御を行うとき、前記点灯回路から前記光源ユニットに供給する電流の変化における誘導時間帯は３秒〜３．７５秒の範囲内にあり、当該誘導時間帯は前記電流が最小値から最大値に増大する時間帯または当該電流が最小値から最大値に増大した後、最小値に低減する時間帯である
請求項１または２に記載の点灯装置。
【請求項４】
前記睡眠誘導制御を行うとき、前記複数の区間のうちのいずれか２つの隣接区間が以下の２つの条件のうちのいずれか１つを満たすように、前記制御回路は前記点灯回路に対し制御を行い、
前区間における前記点灯回路から前記光源ユニットに供給する電流の最大値および最小値はいずれも後区間における前記点灯回路から前記光源ユニットに供給する電流の最大値および最小値より大きい、および
前区間における前記点灯回路から前記光源ユニットに供給する電流の最大値は後区間における前記点灯回路から前記光源ユニットに供給する電流の最大値より大きく、前区間および後区間における前記点灯回路から前記光源ユニットに供給する電流の最小値は同じである
請求項１〜３のいずれか１項に記載の点灯装置。
【請求項５】
前記睡眠誘導制御を行う期間において、前記誘導時間帯は３秒〜３．７５秒の範囲内で段階的に延びる
請求項３に記載の点灯装置。
【請求項６】
前記睡眠誘導制御全体における前記誘導時間帯は３秒、３．１６秒、３．３３秒、３．５３秒、３．７５秒のうち複数または全てを含む
請求項５に記載の点灯装置。
【請求項７】
前記予め定められた値は前記光源ユニットを点灯することのできない値である
請求項１〜６のいずれか１項に記載の点灯装置。
【請求項８】
請求項１〜７のいずれか１項に記載の点灯装置、および
前記少なくとも１つの光源ユニットを備える
照明器具。
【請求項９】
前記少なくとも１つの光源ユニットの色温度は３０００Ｋ以下である
請求項８に記載の照明器具。
【請求項１０】
前記照明器具はさらに前記点灯回路から供給される電流を受け取り、かつ、色温度が前記少なくとも１つの光源ユニットの色温度より高い第２光源ユニットを備え、
前記少なくとも１つの光源ユニットの照射方向は前記第２光源ユニットの照射方向と異なる
請求項８または９に記載の照明器具。
【発明の詳細な説明】
【技術分野】
【０００１】
本発明は照明分野に関し、特にユーザーの睡眠を改善することのできる点灯装置および照明器具に関する。
【背景技術】
【０００２】
世界保健機関の調査結果によると、２７％の人が睡眠問題を抱えている。この問題は中国において急速に進んでおり、生活のテンポが速く、生活のストレスが大きい社会においてより顕著である。最新の調査結果によると、中国では３５％〜４２％の人が睡眠問題に悩まされている。従来の解決方法では、例えば睡眠導入薬を服用するが、この問題を完全には解決できていない。
【発明の概要】
【発明が解決しようとする課題】
【０００３】
近年、音や匂いなどでユーザーの睡眠を改善する各種方法が提案されている。しかし、現在提案されているいずれの方法も不眠症の人々のニーズを未だ満たしていない。
【０００４】
これに鑑みて、本発明はユーザーの睡眠を改善することのできる点灯装置および照明器具を提供する。
【課題を解決するための手段】
【０００５】
本発明の一観点によると、少なくとも１つの光源ユニットを点灯させるための点灯装置を提供し、前記点灯装置は、前記光源ユニットに電流を供給するように配置された点灯回路と、前記点灯回路に対し調光制御を行うことにより、前記光源ユニットに対し調光を行うように配置された制御回路とを備え、前記調光制御は睡眠誘導制御を含み、前記睡眠誘導制御を行うとき、前記点灯回路から前記光源ユニットに供給する電流の値が増大および低減する変化を行うように、前記制御回路は前記点灯回路に対し制御を行い、前記睡眠誘導制御を行う期間を複数の区間に分けた場合、前区間における前記点灯回路から前記光源ユニットに供給する電流の平均値は後区間における前記点灯回路から前記光源ユニットに供給する電流の平均値より大きく、前記睡眠誘導制御終了時に前記点灯回路から前記光源ユニットに供給する電流の値は予め定められた値に制御される。
【０００６】
本発明の他の観点によると、上述のような点灯装置、および前記少なくとも一つ光源ユニットを含む照明器具を提供する。
【発明の効果】
【０００７】
調査によると、情緒不安定は睡眠問題を引き起こす要因である。本発明の点灯装置および照明器具を用いて、光源ユニットから発せられる光を明暗変化させ、かつ強度を次第に低下させることにより、ユーザーの情緒を効果的に改善し、かつユーザーを瞑想状態に導くことができ、これにより睡眠を効果的に改善することができる。
【図面の簡単な説明】
【０００８】
【図１】図１は本発明の実施例３における点灯装置および照明器具の構成を示す図である。
【図２】図２は本発明の実施例１における点灯回路から光源ユニットに供給する電流の具体的な波形の例を示す図である。
【図３】図３は本発明の実施例１における点灯回路から光源ユニットに供給する電流の具体的な波形の例を示す図である。
【図４】図４は本発明の実施例１における点灯回路から光源ユニットに供給する電流の具体的な波形の例を示す図である。
【図５】図５は本発明の実施例１における点灯回路から光源ユニットに供給する電流の具体的な時間設定の例を示す図である。
【図６】図６は本発明の実施例１における点灯回路から光源ユニットに供給する電流の具体的な時間設定の例を示す図である。
【図７】図７はテストにより得られるユーザーの入眠感、呼吸頻度および睡眠誘導制御実行時間の関係を示す図である。
【図８】図８は本発明の実施例３における点灯装置および照明器具の構成を示す図である。
【図９】図９は照明器具が吊り照明である場合の光源ユニットおよび第２光源ユニットの具体的な設置位置および照射方向を示す図である。
【図１０】図１０は照明器具がフロアスタンドである場合の光源ユニットおよび第２光源ユニットの具体的な設置位置および照射方向を示す図である。
【発明を実施するための形態】
【０００９】
以下、図面を参照して本発明の例示的な各実施例、特徴および観点を詳細に説明する。明細書に含まれかつ明細書の一部を構成する図面は明細書とともに本発明の例示的な実施例、特徴および観点を示し、本発明の原理を説明するためのものである。図面において同じ符号は機能が同じまたは類似する要素を示す。図面において実施例の各観点を示すが、特に指示しない限り、縮尺どおりに描く必要はない。
【００１０】
ここで「例示的」という用語は「例、実施例または説明的に用いられる」ことを意味する。ここで「例示的」として説明される如何なる実施例も他の実施例よりも好ましいまたは有利なものとして解釈されるべきではない。
【００１１】
また、本発明をより良く説明するために、下記の具体的な実施の態様において多くの具体的な詳細を示す。当業者は、これら具体的な詳細に関わらず、本発明は同様に実施可能であると理解すべきである。一部の実施例において、本発明の趣旨を明確にするために、当業者にとって周知の方法、手段、要素および回路について詳細な説明は行わない。
【００１２】
（実施例１）
図１は本発明の実施例１における照明器具を示す。照明器具１は点灯装置２および光源ユニット３を含む。点灯装置２が光源ユニット３に電流を供給することにより、光源ユニット３を点灯させる。点灯装置２は、外部電源４から電力を受信し光源ユニット３に電流を供給するための点灯回路２１および点灯回路２１に対し調光制御を行うことにより光源ユニット３に対し調光を行う制御回路３１を含む。
【００１３】
電源４は商用電源などの交流電源でもよく、電池などの直流電源でもよい。点灯回路２１の構成は電源４のタイプにより異なる。電源４が交流電源である場合、点灯回路２１は整流平滑回路や電力変換回路を含んでもよい。整流平滑回路は整流回路や平滑コンデンサを含んでもよい。好ましくは、整流回路はダイオードブリッジを含んでもよい。整流回路は、交流電源から供給される交流電力に対し全波整流を行うように設けられる。平滑コンデンサは、整流回路を全波整流して得られる脈動電圧（脈動電流）に対し平滑化（波紋除去）を行うように設けられる。電力変換回路は降圧チョッパ回路（降圧ＤＣ／ＤＣコンバータ）を含み、整流平滑回路から出力される電力を変換して、光源ユニット３が動作するために必要な電流を出力してもよい。電源４が直流電源である場合、点灯回路２１は例えば昇圧チョッパ回路、降圧チョッパ回路または昇降圧チョッパ回路のＤＣ／ＤＣコンバータを含み、直流電源から出力される電力を変換して、光源ユニット３が動作するために必要な電流を出力してもよい。
【００１４】
制御回路３１は点灯回路２１における光源ユニット３と直列接続するスイッチに対しスイッチ制御を行い、点灯回路２１から光源ユニット３に出力する電流の値を変更することにより、光源ユニット３に対し調光を行ってもよい。
【００１５】
光源ユニット３は１つまたは複数の直列および／あるいは並列接続のＬＥＤ（発光ダイオード）を含んでもよい。光源ユニット３から発せられる光の強度と点灯回路２から光源ユニット３に供給する電流値の大きさとは正比例し、点灯回路２１から光源ユニット３に供給する電流値が所定値より小さい場合、光源ユニット３は発光しない。
【００１６】
ここで、以上の内容は本発明の点灯装置および照明器具の構成に対する例示的な説明にすぎない。本発明の点灯装置および照明器具の構成は以上の内容に限定されず、当業者は周知の如何なる適切な形式の構成を用いてもよい。
【００１７】
以下、本発明のポイントである睡眠誘導制御について説明する。外部から対応する指示を受信あるいは予め定められた条件を満たす（例えば、ユーザーが予め定めたある時点に達する）場合、点灯回路２１から光源ユニット３に供給する電流の値が増大および低減する変化を行うように、制御回路３１は点灯回路２１に対し制御を行うことができ、睡眠誘導制御を行う期間を複数の区間に分けた場合、前区間における点灯回路２１から前記光源ユニット３に供給する電流の平均値は後区間における点灯回路２１から光源ユニット３に供給する電流の平均値より大きく、睡眠誘導制御終了時に点灯回路２１から光源ユニット３に供給する電流の値は予め定められた値に制御される。
【００１８】
実際のユーザーのテストによる検証として、電流値が増大および低減する変化を行わせることにより、光源ユニットから発せられる光の明暗変化を生じさせ、人の情緒を安定させ、より容易に睡眠状態に入らせることができる。また、点灯回路２１から光源ユニット３に供給する電流の平均値を低下し続け、睡眠誘導制御終了時に当該電流の値が比較的低い予め定められた値まで低下したことを維持することにより、ユーザーがすでに浅い眠り状態に入っている場合に光の強度の突然の変化により驚いて目を覚ますことを避けることができる。
【００１９】
睡眠誘導制御時に点灯回路２１から光源ユニット３に供給する電流の例は図２、３、４により示されるとおりである。図２、３、４の横軸は時間を示し、原点は睡眠誘導制御の実行を開始する時点であり、縦軸は電流値を示し、最大電流値に対する比率で示す。図２において、電流は正弦波状に変化し、後の正弦波形の電流の最大値および最小値はいずれも前の正弦波形の最大値および最小値より小さく、最小値が０に達した後、最小値が０を維持する場合、各波形の電流の最大値は電流値が０に下がるまで低下し続ける。
【００２０】
図３において、電流は正弦波状に変化し、各波形の電流の最小値が０を維持し、各波形の電流の最大値は電流値が０に下がるまで低下し続ける。
【００２１】
図４において電流は同様に正弦波状に変化するが、変化パターンは３つの区間で異なる。第１の区間内で、各波形の電流の最小値が１０％を維持し、最大値は低下し続ける。第２の区間内で、各波形の電流の最大値および最小値はいずれも前の波形に対し最小値が０に下がるまで低下する。第３の区間内で、各波形の電流の最小値が０を維持し、各波形の電流の最大値は電流値が０に下がるまで低下し続ける。
【００２２】
図２、３、４の例を比較して分かるように、図２により示される電流は睡眠誘導制御の前期に光源ユニット３から発せられる光を更に強くすることができるが、光の明暗変化は図３、４ほど明確でなく、かつ睡眠誘導制御の後期に光源ユニット３から発せられる光は弱い。図３により示される電流は最も強い明暗変化を生じさせることにより、より効果的にユーザーの注意を引くことができるが、前期から光源ユニット３が消灯する時間帯が現れ、不便であり、かつ前期の明暗変化が大きすぎて、一部のユーザーに刺激を与える可能性がある。図４により示される電流には図３の例と類似する欠点が存在するが、図３の例に対し若干改善されている。
【００２３】
制御回路３１中に図２、３、４に対応する制御プログラムを予め記憶し、点灯回路２１から光源ユニット３に対応する電流を供給するように、睡眠誘導制御を実行するとき、当該制御プログラムを自動で実行してもよい。また、さらに、予め記憶された例えば図２、３、４により示される電流波形のうち睡眠誘導制御時に供給する電流の波形をユーザーが選択するように、照明器具１にユーザーが操作可能な操作器を設けてもよい。例えば、図２により示される電流波形を予め「緩やか」パターンとして記憶し、図３により示される電流波形を予め「強い」パターンとして記憶し、図４により示される電流波形を予め「標準」パターンとして記憶してもよい。ユーザーは自らの必要に応じていずれかのパターンを選択してもよい。
【００２４】
ユーザーはさらに操作器により電流波形の編集を行い、所望の波形形状、最大値および最小値、時間長などを設定してもよい。ユーザーが編集を完了した後、点灯回路２１から出力される電流がユーザー編集が完了した電流波形と一致するように、制御回路３１はユーザー編集が完了したパターンに基づいて点灯回路２１を制御してもよい。
【００２５】
以上、図２〜４により示される電流波形は例示にすぎず、本発明はこれに限定されない。図２〜４において、電流はいずれも正弦波状に変化し、これにより光源ユニットから発せられる光の強度を平滑に変化させることにより、光の急激な変化によりユーザーに与える刺激を弱めてもよい。しかし、点灯回路２１から光源ユニット３に供給する電流は、さらに他の波形形状で増大および低減する変化を行ってもよい（例えば三角波状、台形波状など）。また、本発明は電流の波形形状が睡眠誘導制御期間全体で同じである必要はない。例えば、睡眠誘導制御の前期に電流は三角波の形状で変化し、睡眠誘導制御の後期に電流は正弦波の形状で変化するように設計してもよい。
【００２６】
図２〜４において、各波形の電流値は前の波形に対し低下し続ける。しかし、本発明はこれに限定されず、電流が同じ波形で複数の周期を繰り返し、その後低下するように設けてもよい。
【００２７】
図２〜４において、（１００％〜５０％）、（１００％〜０％）、（１００％〜１０％）などの各種電流の変化幅を例示した。しかし、本発明はこれに限定されない。当業者にとって周知のように、電流の変化幅が大きいほど、光源ユニットの光の明暗変化が明確であり、ユーザーの注意を引くことができるが、同時に光源ユニットの光の明暗変化が大きすぎると、ユーザーに刺激を与える。従って、実際の情況に応じて電流の変化幅を選択してもよい。
【００２８】
以下、図５、６を参照して電流変化の時間長設定を説明する。図５、６により示されるように、睡眠誘導制御を行うとき、点灯回路２１から光源ユニット３に供給する電流の変化における誘導時間帯を３秒〜３．７５秒の範囲内に設定してもよく、当該誘導時間帯は電流が最小値から最大値に増大する時間帯（図６により示される）または当該電流が最小値から最大値に増大した後、最小値に低減する時間帯（図５により示される）である。
【００２９】
これは人の呼吸頻度に基づき設けられる。人の呼吸頻度は通常１６〜２０回／分である。テストによる検証として、人は光の明暗変化を感知したとき、通常、無意識に一回の呼吸を完了する時間を、光が暗から明に変化する時間（電流が最小値から最大値に増大する時間帯、例えば図５、６により示される電流値が０％から１００％となる時間帯）または光が暗から明となり再び暗に変化する時間（電流が最小値から最大値に増大した後、最小値に低減する時間帯、例えば図５、６により示される電流値が０％から１００％となり再び０％となる時間帯）と同じに調整する。
【００３０】
光が暗から明に変化する時間または光が暗から明となり再び暗に変化する時間が３秒であるとき、人の呼吸頻度を２０回／分に導くことができる。光が暗から明に変化する時間または光が暗から明となり再び暗に変化する時間が３．７５秒であるとき、人の呼吸頻度を１６回／分に導くことができる。
【００３１】
従って、点灯回路２１から光源ユニット３に供給する電流の変化における誘導時間帯を３秒〜３．７５秒の範囲内に設定することにより、人の呼吸頻度を１６〜２０回／分内のある値に導き安定させ、睡眠誘導効果を更に高めてもよい。
【００３２】
このほか、睡眠誘導効果を更に高めるために、光源ユニット３が発する光の色温度を３０００Ｋ以下に設けてもよい。当業者にとって周知のように、人は異なる色温度の光に対し異なる心理的感覚を有し、テストによる検証として、異なるシーンに適用する異なる色温度が特定されている。例えば、色温度が６２００Ｋの光は人に目覚め状態を維持させ、通常、学習、朝食、昼食、起床などのシーンに適用され、色温度が５０００Ｋの光は、通常、料理、仕事、衣服選びなどのシーンに適用され、色温度が３５００Ｋの光は、通常、集まりなどのシーンに適用され、色温度が２７００Ｋの光は、通常、夕食、読書などのシーンに適用され、色温度が２５００Ｋの光は、通常、就寝前などのシーンに適用される。光源ユニット３が発する光の色温度を３０００Ｋ以下に設けることにより、より容易にユーザーをリラックス状態に入らせ、睡眠誘導効果を更に高めることができる。
【００３３】
発明者は本発明の照明器具に対するユーザーの実際の感覚をテストした。テスト結果は図７により示される。睡眠誘導制御実行時間が延びるにつれて、ユーザーの入眠感が増強し、かつユーザーの呼吸頻度が低下する。睡眠誘導制御実行時間が一定の長さに延びると、ほぼ確実にユーザーをスムーズに睡眠状態に入らせることができる。これは本発明の点灯装置および照明器具の睡眠改善に対する有効性を十分に証明している。当該テスト結果によると、睡眠誘導制御の時間を３０分以上に設けてもよい。
【００３４】
また、ユーザーは操作部により、自己の使用体験に基づいて、睡眠誘導制御の実行時間を設け、睡眠誘導制御終了後、光源ユニット３が完全に消灯する、あるいは低い輝度で点灯し続けるなどのように設けてもよい。
【００３５】
（実施例２）
実施例２は実施例１と異なり、睡眠誘導制御時に点灯回路２１から光源ユニット３に供給する電流の誘導時間帯は一定でなく、徐々に延びる。睡眠誘導制御の総実行時間を３０分とすると、誘導時間帯を３秒として５分実行し、誘導時間帯を３．１６秒として５分実行し、誘導時間帯を３．３３秒として５分実行し、誘導時間帯を３．５３秒として５分実行し、誘導時間帯を３．７５秒として１０分実行し、その後睡眠誘導制御を終了するように設けてもよい。
【００３６】
また、異なる誘導時間帯の設定値の間に遷移時間帯を設け、当該遷移時間帯内に、誘導時間帯を徐々に延ばしてもよい。例えば、３秒の誘導時間帯と３．１６秒の誘導時間帯との間に１分の遷移時間帯を設け、当該遷移時間帯内で、誘導時間帯は一定の長さに従って、例えば３．０４秒、３．０８秒、３．１２秒、３．１６秒の順序に従って、３秒から徐々に３．１６秒に延びる。
【００３７】
上述したように、３秒の誘導時間帯は人の呼吸頻度を２０回／分に導くことができ、３．１６秒の誘導時間帯は人の呼吸頻度を１９回／分に導くことができ、３．３３秒の誘導時間帯は人の呼吸頻度を１８回／分に導くことができ、３．５３秒の誘導時間帯は人の呼吸頻度を１７回／分に導くことができ、３．７５秒の誘導時間帯は人の呼吸頻度を１６回／分に導くことができる。
【００３８】
テストによる検証として、人はリラックス状態にあるほど呼吸頻度が低く、睡眠状態では、呼吸頻度は通常、最低値１６回／分である。以上のように誘導時間帯を徐々に延ばすことにより、ユーザーの呼吸頻度を徐々に低下させ、ユーザーがより早く睡眠状態に入れるようにする。
【００３９】
なお、以上の内容は例示にすぎず、本発明はこれに限定されない。各段階の時間は任意に設けてもよく、同じでも、異なってもよい。前記の遷移時間帯は設けてもよく、設けなくてもよい。遷移時間帯の長さおよび誘導時間帯の変化パターンは任意に設けてもよい。また、本発明は前記の５つの誘導時間帯すべてを必ず設定することに限定されず、そのうちの一部のみを含んでもよく、例えば誘導時間帯を順次３秒、３．３３秒、３．７５秒に設定してもよい。
【００４０】
（実施例３）
本発明の実施例による照明器具１１を図８に示す。実施例１と異なり、照明器具１１はさらに第２光源ユニット５を含む。当該第２光源ユニット５は点灯回路２１から供給される電流を受けて点灯する。第２光源ユニット５の光の色温度を光源ユニット３より高く設定してもよい。このように、１つの照明器具１１中に睡眠誘導制御を行うことができ、色温度が低い光源ユニット３および一般照明としての、色温度が高い第２光源ユニット５を収容することにより、１つの照明器具１１を用いて睡眠誘導と一般照明を同時に実現することができ、スペースを効果的に節約することができる。
【００４１】
第２光源ユニット５による光源ユニット３の睡眠誘導制御に対する影響を減らすために、光源ユニット３が睡眠誘導制御を行うときに第２光源ユニット５が消灯の状態にあるように設け、図９、１０により示されるように、光源ユニット３と第２光源ユニット５の照射方向を異なる方向に設定してもよい。
【００４２】
例えば、図９により示されるように、照明器具１１を天井の吊り照明に取り付けるとき、光源ユニット３を照明器具１１の外周部に取り付け、光源ユニット３の照射方向を上向き、すなわち天井方向に設定し、第２光源ユニット５を照明器具１１の中心部に取り付け、第２光源ユニット５の照射方向を下向き、すなわち床方向に設定することが考えられる。
【００４３】
図１０に示されるように、照明器具１１がフロアスタンドであるとき、光源ユニット３を照明器具１１の外周部に取り付け、光源ユニット３の照射方向を下向き、すなわち床方向に設定し、第２光源ユニット５を照明器具１１の中心部に取り付け、第２光源ユニット５の照射方向を上向き、すなわち天井方向に設定することが考えられる。
【００４４】
前記のように光源ユニット３の照射方向を設定することにより、ユーザーがベッドに横たわり、就寝しようとするとき、光源ユニット３から発せられる光の明暗変化をより明確に見ることができ、これにより光源ユニット３の睡眠誘導制御の効果を強めることができる。
【００４５】
なお、前記の光源ユニット３と第２光源ユニット５の設置位置および照射方向の設定は例示にすぎず、本発明はこれに限定されない。照明器具１１の具体的構成および設置位置により、光源ユニット３および第２光源ユニット５の設置位置および照射方向を設定してもよい。
【００４６】
以上、本発明の各実施例を説明したが、上述の説明は例示的であり、網羅的ではなく、かつ開示された各実施例に限定されるものでもない。説明された各実施例の範囲及び趣旨を超えない場合、当業者にとって多くの修正および変更はいずれも自明である。本文で用いられる用語の選択は、各実施例の原理、実際の適用または市場における技術の技術改良を最適に説明するため、あるいは当業者が本文により開示される各実施例を理解するためのものである。
【図１】
2019102441.tif 000003
【図２】
2019102441.tif 000004
【図３】
2019102441.tif 000005
【図４】
2019102441.tif 000006
【図５】
2019102441.tif 000007
【図６】
2019102441.tif 000008
【図７】
2019102441.tif 000009
【図８】
2019102441.tif 000010
【図９】
2019102441.tif 000011
【図１０】
2019102441.tif 000012